(57)【要約】【課題】一般の自動車整備工場等に通常存在する既設の設備を利用して温水によりパティキュレートフィルタの洗浄を行うことができ、新たにガス管や水道管を敷設する工事を不要とし得、配置変更の容易化並びに設備費の削減を図り得るパティキュレートフィルタの洗浄方法及び装置を提供する。【解決手段】温水洗車機１４から供給されレギュレータ２２によって調圧された温水、或いは給湯器１８から供給される温水のうちいずれか一方をポンプ２４で昇圧し、噴射ノズル９からパティキュレートフィルタ４に吹き付けてアッシュ等の燃焼残留物１２を洗い流すようにする。【選択図】        図１
2004239072.tif 000002
【特許請求の範囲】
【請求項１】
排気管途中に装備されて排気ガス中のパティキュレートを捕集するパティキュレートフィルタの洗浄方法であって、
温水洗車機から供給される高圧の温水を調圧した後、パティキュレートフィルタに吹き付けて燃焼残留物を洗い流すことを特徴とするパティキュレートフィルタの洗浄方法。
【請求項２】
排気管途中に装備されて排気ガス中のパティキュレートを捕集するパティキュレートフィルタの洗浄方法であって、
給湯器から供給される温水をパティキュレートフィルタに吹き付けて燃焼残留物を洗い流すことを特徴とするパティキュレートフィルタの洗浄方法。
【請求項３】
排気管途中に装備されて排気ガス中のパティキュレートを捕集するパティキュレートフィルタの洗浄装置であって、
温水洗車機から供給される高圧の温水を調圧するレギュレータと、
該レギュレータによって調圧された温水を昇圧するポンプと、
該ポンプによって昇圧された温水をパティキュレートフィルタに吹き付けて燃焼残留物を洗い流す噴射ノズルと
を備えたことを特徴とするパティキュレートフィルタの洗浄装置。
【請求項４】
排気管途中に装備されて排気ガス中のパティキュレートを捕集するパティキュレートフィルタの洗浄装置であって、
給湯器から供給される温水を昇圧するポンプと、
該ポンプによって昇圧された温水をパティキュレートフィルタに吹き付けて燃焼残留物を洗い流す噴射ノズルと
を備えたことを特徴とするパティキュレートフィルタの洗浄装置。
【請求項５】
排気管途中に装備されて排気ガス中のパティキュレートを捕集するパティキュレートフィルタの洗浄装置であって、
温水洗車機から供給される高圧の温水を調圧するレギュレータと、
該レギュレータによって調圧された温水、或いは給湯器から供給される温水のうちいずれか一方を導入するよう切換可能な切換弁と、
該切換弁の切り換えによって導入された温水を昇圧するポンプと、
該ポンプで昇圧された温水をパティキュレートフィルタに吹き付けて燃焼残留物を洗い流す噴射ノズルと
を備えたことを特徴とするパティキュレートフィルタの洗浄装置。
【発明の詳細な説明】
【０００１】
【発明の属する技術分野】
本発明は、パティキュレートフィルタの洗浄方法及び装置に関するものである。
【０００２】
【従来の技術】
ディーゼルエンジンから排出されるパティキュレート（Ｐａｒｔｉｃｕｌａｔｅ  Ｍａｔｔｅｒ：粒子状物質）は、炭素質から成る煤と、高沸点炭化水素成分から成るＳＯＦ分（Ｓｏｌｕｂｌｅ  Ｏｒｇａｎｉｃ  Ｆｒａｃｔｉｏｎ：可溶性有機成分）とを主成分とし、更に微量のサルフェート（ミスト状硫酸成分）を含んだ組成を成すものであるが、この種のパティキュレートの低減対策として、図４に示す如く、ディーゼルエンジン１からの排気ガス２が流通する排気管３の途中にパティキュレートフィルタ４を装備することが考えられている。
【０００３】
図５に示すように、パティキュレートフィルタ４は、コージェライト等のセラミックから成る多孔質のハニカム構造となっており、格子状に区画された各流路５の入口が交互に目封じされ、入口が目封じされていない流路５については、その出口が目封じされるようになっており、各流路５を区画する多孔質薄壁６を透過した排気ガス２のみが下流側へ排出されて、前記多孔質薄壁６の内側表面にパティキュレートが捕集されるようにしてある。
【０００４】
そして、排気ガス２中のパティキュレートは、前記多孔質薄壁６の内側表面に捕集されて堆積するので、目詰まりにより排気抵抗が増加しないうちにパティキュレートを適宜に燃焼除去してパティキュレートフィルタ４の再生を図る必要があるが、通常のディーゼルエンジン１の運転状態においては、パティキュレートが自己燃焼するほどの高い排気温度が得られる機会が少ないため、例えばアルミナに白金を担持させたものに適宜な量のセリウム等の希土類元素を添加して成る酸化触媒を一体的に担持させた触媒再生型のパティキュレートフィルタ４の実用化が進められている。
【０００５】
即ち、このような触媒再生型のパティキュレートフィルタ４を採用すれば、捕集されたパティキュレートの酸化反応が促進されて着火温度が低下し、従来より低い排気温度でもパティキュレートを燃焼除去することが可能となるのである。
【０００６】
但し、パティキュレートフィルタ４内には、潤滑油中の添加剤を起源として気筒内燃焼で発生するアッシュが徐々に溜まってくるため、この燃焼除去できないアッシュ等の燃焼残留物については定期的に洗浄する必要がある。
【０００７】
そして、その具体的なパティキュレートフィルタ４の洗浄方法としては、排気管３途中からパティキュレートフィルタ４を取り外し、該パティキュレートフィルタ４に対し所要温度の温水を所要の水圧で吹き付けて燃焼残留物を洗い流す方法が提案されている。（例えば、特許文献１参照。）
【０００８】
【特許文献１】
特願２００２−６２２１４号
【０００９】
【発明が解決しようとする課題】
ところで、前述の如く、パティキュレートフィルタ４の洗浄を温水によって行おうとした場合、該温水が大量に消費されるため、一般の自動車整備工場等においては、新たにガス管や水道管を敷設する工事を行って、パティキュレートフィルタ４専用の洗浄装置を設置する必要がある。
【００１０】
しかしながら、前述の如く、新たにガス管や水道管を敷設する工事を行って、パティキュレートフィルタ４専用の洗浄装置を設置するのでは、配置変更を容易に行うことができなくなると共に、設備費が嵩むという欠点を有していた。
【００１１】
本発明は、斯かる実情に鑑み、一般の自動車整備工場等に通常存在する既設の設備を利用して温水によりパティキュレートフィルタの洗浄を行うことができ、新たにガス管や水道管を敷設する工事を不要とし得、配置変更の容易化並びに設備費の削減を図り得るパティキュレートフィルタの洗浄方法及び装置を提供しようとするものである。
【００１２】
【課題を解決するための手段】
請求項１記載の発明は、排気管途中に装備されて排気ガス中のパティキュレートを捕集するパティキュレートフィルタの洗浄方法であって、
温水洗車機から供給される高圧の温水を調圧した後、パティキュレートフィルタに吹き付けて燃焼残留物を洗い流すことを特徴とするパティキュレートフィルタの洗浄方法にかかるものである。
【００１３】
請求項２記載の発明は、排気管途中に装備されて排気ガス中のパティキュレートを捕集するパティキュレートフィルタの洗浄方法であって、
給湯器から供給される温水をパティキュレートフィルタに吹き付けて燃焼残留物を洗い流すことを特徴とするパティキュレートフィルタの洗浄方法にかかるものである。
【００１４】
請求項３記載の発明は、排気管途中に装備されて排気ガス中のパティキュレートを捕集するパティキュレートフィルタの洗浄装置であって、
温水洗車機から供給される高圧の温水を調圧するレギュレータと、
該レギュレータによって調圧された温水を昇圧するポンプと、
該ポンプによって昇圧された温水をパティキュレートフィルタに吹き付けて燃焼残留物を洗い流す噴射ノズルと
を備えたことを特徴とするパティキュレートフィルタの洗浄装置にかかるものである。
【００１５】
請求項４記載の発明は、排気管途中に装備されて排気ガス中のパティキュレートを捕集するパティキュレートフィルタの洗浄装置であって、
給湯器から供給される温水を昇圧するポンプと、
該ポンプによって昇圧された温水をパティキュレートフィルタに吹き付けて燃焼残留物を洗い流す噴射ノズルと
を備えたことを特徴とするパティキュレートフィルタの洗浄装置にかかるものである。
【００１６】
請求項５記載の発明は、排気管途中に装備されて排気ガス中のパティキュレートを捕集するパティキュレートフィルタの洗浄装置であって、
温水洗車機から供給される高圧の温水を調圧するレギュレータと、
該レギュレータによって調圧された温水、或いは給湯器から供給される温水のうちいずれか一方を導入するよう切換可能な切換弁と、
該切換弁の切り換えによって導入された温水を昇圧するポンプと、
該ポンプで昇圧された温水をパティキュレートフィルタに吹き付けて燃焼残留物を洗い流す噴射ノズルと
を備えたことを特徴とするパティキュレートフィルタの洗浄装置にかかるものである。
【００１７】
上記手段によれば、以下のような作用が得られる。
【００１８】
新たにガス管や水道管を敷設する工事を行って、パティキュレートフィルタ専用の洗浄装置を設置しなくても、一般の自動車整備工場等に通常存在する既設の設備としての温水洗車機、或いは給湯器から供給される温水によりパティキュレートフィルタの洗浄を行うことが可能となり、配置変更が容易に行えると共に、設備費も最小限に抑えられる。
【００１９】
【発明の実施の形態】
以下、本発明の実施の形態を図示例と共に説明する。
【００２０】
図１〜図３は本発明を実施する形態の一例であって、図中、図４及び図５と同一の符号を付した部分は同一物を表わしており、洗浄ケース本体１３の側壁部に、温水洗車機１４から延びる高圧温水ホース１５を接続可能な高圧温水カプラ１６が取り付けられた温水洗車機側配管１７を貫通配置すると共に、給湯器１８から延びる温水ホース１９を接続可能な温水カプラ２０が取り付けられた給湯器側配管２１を貫通配置し、温水洗車機側配管１７途中に、温水洗車機１４から供給される高圧の温水を調圧するレギュレータ２２を設け、温水洗車機側配管１７と給湯器側配管２１との先端における合流部に、レギュレータ２２によって調圧された温水、或いは給湯器１８から供給される温水のうちいずれか一方を導入するよう切換可能な切換弁２３を設け、該切換弁２３の出側に、途中にプランジャポンプ等のポンプ２４が設けられた温水供給配管２８を接続し、該温水供給配管２８に、ポンプ２４で昇圧された温水を台座８上に載置されたパティキュレートフィルタ４に吹き付けてアッシュ等の燃焼残留物１２を洗い流すための噴射ノズル９を接続し、洗浄ケース本体１３の底部に洗浄済みの温水の回収槽２５を形成して、パティキュレートフィルタ洗浄装置２６を構成したものである。
【００２１】
尚、ここに図示している例では、パティキュレートフィルタ４が、その入側端面と出側端面の外縁を端部シール材１０により掛止されて軸心方向への移動と排気ガス２（図４参照）の迂回を阻止し得るようにしてあり、その外周面とケーシング７の内周面との間には、ステンレス等の金属線材を編み込んで成るクッション材１１が介装された構造となっている。
【００２２】
又、前記温水洗車機１４は、自動車のエンジンルーム内や下回り等の洗浄に使われるものであって、通常、温水は、灯油を燃焼して貯湯しプランジャポンプ等のポンプ（図示せず）により加圧して噴射する構造になっており、一方、前記給湯器１８は、ごく一般に使用されているガス湯沸し器である。
【００２３】
更に又、前記洗浄ケース本体１３の前面側には、パティキュレートフィルタ４を出し入れ可能で且つ該パティキュレートフィルタ４の洗浄時に温水が周囲に飛び散ることを防止するための引戸２７を開閉自在に設けるようにしてある。
【００２４】
次に、上記図示例の作用を説明する。
【００２５】
パティキュレートフィルタ４に付着したアッシュ等の燃焼残留物１２を洗浄する際には、先ず、ケーシング７により抱持されたパティキュレートフィルタ４を排気管３の途中から取り外し、該パティキュレートフィルタ４を、使用時に排気ガス２（図４参照）の入口側となる側を下に向けて、パティキュレートフィルタ洗浄装置２６の洗浄ケース本体１３内における台座８の上に載置する。
【００２６】
この状態で、温水洗車機１４を利用する場合には、図２に示す如く、温水洗車機１４の高圧温水ホース１５を温水洗車機側配管１７の高圧温水カプラ１６に接続し、切換弁２３を温水洗車機側配管１７の方に切り換え、温水洗車機１４から供給される高圧の温水をレギュレータ２２により調圧した後、ポンプ２４の作動により噴射ノズル９からパティキュレートフィルタ４に吹き付けてアッシュ等の燃焼残留物１２を反捕集側（通常の排気ガス２の流通方向と逆向きの方向）から洗い流すようにする。尚、前記温水洗車機１４から供給される高圧の温水を仮に、レギュレータ２２により調圧せずにプランジャポンプ等のポンプ２４で昇圧させて噴射ノズル９から噴射すると、温水洗車機１４の図示していないプランジャポンプ等のポンプによって温水に与えられる脈動と、パティキュレートフィルタ洗浄装置２６におけるプランジャポンプ等のポンプ２４によって温水に与えられる脈動とが同期した場合、予想以上に高い圧力で温水が噴射ノズル９から噴射され、パティキュレートフィルタ４が破損する虞があるが、本図示例においては、温水洗車機１４から供給される高圧の温水をレギュレータ２２により調圧してからプランジャポンプ等のポンプ２４へ導くようにしているため、予想以上に高い圧力で温水が噴射ノズル９から噴射されてしまうことが避けられ、パティキュレートフィルタ４が破損する心配もない。
【００２７】
一方、給湯器１８を利用する場合には、図３に示す如く、給湯器１８の温水ホース１９を給湯器側配管２１の温水カプラ２０に接続し、切換弁２３を給湯器側配管２１の方に切り換え、給湯器１８から供給される温水を、ポンプ２４の作動により噴射ノズル９からパティキュレートフィルタ４に吹き付けてアッシュ等の燃焼残留物１２を反捕集側（通常の排気ガス２の流通方向と逆向きの方向）から洗い流すようにする。
【００２８】
尚、前記温水によって洗い流されたアッシュ等の燃焼残留物１２は、洗浄済みの温水と一緒に回収槽２５に回収され、処理される。
【００２９】
この結果、新たにガス管や水道管を敷設する工事を行って、パティキュレートフィルタ４専用の洗浄装置を設置しなくても、一般の自動車整備工場等に通常存在する既設の設備としての温水洗車機１４、或いは給湯器１８から供給される温水によりパティキュレートフィルタ４の洗浄を行うことが可能となり、配置変更が容易に行えると共に、設備費も最小限に抑えられる。
【００３０】
こうして、一般の自動車整備工場等に通常存在する既設の設備を利用して温水によりパティキュレートフィルタ４の洗浄を行うことができ、新たにガス管や水道管を敷設する工事を不要とし得、配置変更の容易化並びに設備費の削減を図り得る。
【００３１】
尚、本発明のパティキュレートフィルタの洗浄方法及び装置は、上述の図示例にのみ限定されるものではなく、本発明の要旨を逸脱しない範囲内において種々変更を加え得ることは勿論である。
【００３２】
【発明の効果】
以上、説明したように本発明のパティキュレートフィルタの洗浄方法及び装置によれば、一般の自動車整備工場等に通常存在する既設の設備を利用して温水によりパティキュレートフィルタの洗浄を行うことができ、新たにガス管や水道管を敷設する工事を不要とし得、配置変更の容易化並びに設備費の削減を図り得るという優れた効果を奏し得る。
【図面の簡単な説明】
【図１】本発明を実施する形態の一例の概略図である。
【図２】本発明を実施する形態の一例において温水洗車機を利用する場合を示す斜視図である。
【図３】本発明を実施する形態の一例において給湯器を利用する場合を示す斜視図である。
【図４】一般的なパティキュレートフィルタの使用状態を示す概略図である。
【図５】図４のパティキュレートフィルタの詳細な構造を示す断面図である。
【符号の説明】
４    パティキュレートフィルタ
９    噴射ノズル
１２    燃焼残留物
１４    温水洗車機
１８    給湯器
２２    レギュレータ
２３    切換弁
２４    ポンプ
２６    パティキュレートフィルタ洗浄装置
【図１】
2004239072.tif 000003
【図２】
2004239072.tif 000004
【図３】
2004239072.tif 000005
【図４】
2004239072.tif 000006
【図５】
2004239072.tif 000007